(57)【要約】      （修正有）【課題】メディア再生及び、ひいてはストーリーの叙述式流れを妨害しないで動的可変長のセグメントを再生することを可能にする。【解決手段】再生装置は、再生指示を検索し、再生指示によって、オーディオ／ビデオセグメントを検索して再生し、オーディオ／ビデオセグメントを再生しながらユーザ決定命令から受信するためにインターフェース要素を発生させ、ユーザ決定命令によって追加のオーディオ／ビデオセグメントを検索して再生する。再生装置はさらに、分離されたオーディオトラックの一つを検索し、第１オーディオ／ビデオセグメントの終了、及び第１オーディオ／ビデオセグメントに続いて再生される第２オーディオ／ビデオセグメントの開始を再生しながら、分離されたオーディオトラックを中断なく再生する。したがって、オーディオトラックは、２個の連続したオーディオ／ビデオセグメントの境界にわたって中断なく再生される。【選択図】図４
2019165466.tif 000002
【特許請求の範囲】
【請求項１】
相互作用視聴覚映画（１００）を再生するコンピュータ化された装置（１）であって、
再生エンジン（１２）と、
映画エピソードデータ客体（１１）とを備え、
該映画エピソードデータ客体（１１）は、複数のオーディオ／ビデオセグメント（１１２）と、前記再生エンジン（１２）が前記映画エピソードデータ客体（１１）から前記オーディオ／ビデオセグメント（１１２）を検索して再生し、該オーディオ／ビデオセグメント（１１２）を再生しながらユーザ決定命令から検索し、該ユーザ決定命令によって前記映画エピソードデータ客体（１１）から追加のオーディオ／ビデオセグメント（１１２）を検索して再生するように構成される再生指示１１１とを有し、
前記映画エピソードデータ客体（１１）は、前記オーディオ／ビデオセグメント（１１２）から分離されるとともにビデオコンテンツを有しないオーディオトラック（１１４）と、前記再生エンジン（１２）が前記映画エピソードデータ客体（１１）から分離された前記オーディオトラック（１１４）の一つを検索し、第１オーディオ／ビデオセグメント（ＡＶＳｅｇ３）の終了をユーザによって選択される時点まで実行し、ユーザによって選択され、前記第１オーディオ／ビデオセグメント（ＡＶＳｅｇ３）に続いて実行される第２オーディオ／ビデオセグメント（ＡＶＳｅｇ７）の開始を実行しながら、ユーザによって相互作用により及び動的に選択される時点における前記オーディオ／ビデオセグメント（１１２）の変化途中に分離された前記オーディオトラック（１１４ａ）を中断なく実行するように構成される追加の再生指示（１１１）とを有する装置（１）。
【請求項２】
分離された前記オーディオトラック（１１４ｃ）は、キューポイント（ＣＰ）を有し、
該キューポイント（ＣＰ）は、前記オーディオトラック（１１４ｃ）における位置を表示し、
前記オーディオトラック（１１４ｃ）の再生途中に、該オーディオトラック（１１４ｃ）は編集に適切であり、
前記映画エピソードデータ客体（１１）は、前記再生エンジン（１２）がキューポイント（ＣＰ１）において、分離された前記オーディオトラック（１１４ｃ）を実行することを停止し、前記キューポイント（ＣＰ１）において、異なる分離されたオーディオトラック（１１４ｄ）を実行することを開始するようにするように構成される再生指示（１１１）をさらに有する請求項１に記載の装置（１）。
【請求項３】
前記映画エピソードデータ客体（１１）は、前記再生エンジン（１２）が前記ユーザ決定命令によって前記オーディオトラック（１１４）を変化させるために前記キューポイント（ＣＰ）を選択するように構成される再生指示（１１１）をさらに有する請求項２に記載の装置（１）。
【請求項４】
前記映画エピソードデータ客体（１１）は、前記再生エンジン（１２）が前記ユーザ決定命令によって異なる前記オーディオトラック（１１４）を選択するように構成される再生指示（１１１）をさらに有する請求項２又は請求項３に記載の装置（１）。
【請求項５】
前記映画エピソードデータ客体（１１）は、実行される前記オーディオ／ビデオセグメント（ＡＶＳｅｇ７）の規定された時間コード（ＴＣ３）で前記オーディオトラック（１１４ａ）を停止すること、前記オーディオトラック（１１４）のビートで前記オーディオトラック（１１４）を停止すること、前記オーディオトラック（１１４）を直ちに停止すること、実行される前記オーディオ／ビデオセグメント（ＡＶＳｅｇ７）の規定された時間コード（ＴＣ３）でフェードアウトを始めることによって前記オーディオトラック（１１４ａ）をフェードアウトすること、フェードアウトを直ちに始めることによって前記オーディオトラック（１１４）をフェードアウトすること、前記オーディオトラック（１１４ｃ）を適切なオーディオ終了トラック（１１４ｄ）に取り替えること、及び前記オーディオトラック（１１４）を異なる前記オーディオトラック（１１４）にクロスフェードすること、のうち一つを行うことによって、前記再生エンジン（１２）が、前記ユーザ決定命令によって、分離された前記オーディオトラック（１１４）を実行することを終了するように構成される再生指示（１１１）をさらに有する請求項１から請求項４４のいずれかに記載の装置（１）。
【請求項６】
前記映画エピソードデータ客体（１１）は、前記再生エンジン（１２）が、前記ユーザ決定命令によって、実行される前記オーディオ／ビデオセグメント（ＡＶＳｅｇ１）の規定された時間コード（ＴＣ）で前記オーディオ／ビデオセグメント（ＡＶＳｅｇ１）を実行することを停止し、前記時間コード（ＴＣ）で、異なるオーディオ／ビデオセグメント（ＡＶＳｅｇ４）を再生することを始めるように構成される再生指示（１１１）をさらに有する請求項１から請求項５のいずれかに記載の装置（１）。
【請求項７】
前記再生エンジン（１２）は、前記オーディオ／ビデオセグメント（ＡＶＳｅｇ１，ＡＶＳｅｇ４，ＡＶＳｅｇ３，ＡＶＳｅｇ７）及び前記オーディオ／ビデオセグメント（ＡＶＳｅｇ１，ＡＶＳｅｇ４，ＡＶＳｅｇ３，ＡＶＳｅｇ７）と同時に実行される一つ以上の分離された前記オーディオトラック（１１４ａ，１１４ｂ）を混合してマスタリングすることによってオーディオマスタートラックを発生させるように構成される請求項１から請求項６のいずれかに記載の装置（１）。
【請求項８】
複数の通信端末（４１）から前記ユーザ決定命令を受信し、該ユーザ決定命令から人気のある前記ユーザ決定命令を決定し、人気のある該ユーザ決定命令によって前記オーディオ／ビデオセグメント（１１２）を検索して再生するステップ、前記オーディオトラック（１１４）を選択するステップ、前記オーディオトラック（１１４）を変化させるためにキューポイント（ＣＰ）を選択するステップ、前記オーディオトラック（１１４）を終了するステップ、再生される前記オーディオ／ビデオセグメント（ＡＶＳｅｇ１）の規定された時間コード（ＴＣ）で前記オーディオ／ビデオセグメント（ＡＶＳｅｇ１）を停止するステップ、及びその時間コード（ＴＣ）で、異なるオーディオ／ビデオセグメント（ＡＶＳｅｇ４）を始めるステップのうち少なくとも一つを行うように構成される相互作用サーバー４３をさらに備える請求項１から請求項７のいずれかに記載の装置（１）。
【請求項９】
相互作用視聴覚映画（１００）を再生する方法であって、
コンピュータ化された再生装置（１）のデータストアに複数のオーディオ／ビデオセグメント（１１２）、該オーディオ／ビデオセグメント（１１２）から分離されるとともにビデオコンテンツを有しないオーディオトラック（１１４）、及び再生指示（１１１）を有する映画エピソードデータ客体（１１）を格納するステップ（Ｓ１）と、
前記再生装置（１）によって前記映画エピソードデータ客体（１１）から前記再生指示（１１１）を検索するステップ（Ｓ２）とを含み、
前記再生指示（１１１）によって、前記再生装置（１）は、前記映画エピソードデータ客体（１１）から前記オーディオ／ビデオセグメント（１１２）を検索（Ｓ３１）及び再生（Ｓ３２）するステップと、
前記オーディオ／ビデオセグメント（１１２）を再生しながらユーザ決定命令から受信（Ｓ３６）するためにインターフェース要素を発生（Ｓ３５）させるステップと、
前記ユーザ決定命令によって前記映画エピソードデータ客体（１１）から追加の前記オーディオ／ビデオセグメント（１１２）を検索（Ｓ３１）及び再生（Ｓ３２）するステップと、
前記映画エピソードデータ客体（１１）から分離された前記オーディオトラック（１１４）の一つを検索（Ｓ３３）するステップと、
第１オーディオ／ビデオセグメント（ＡＶＳｅｇ３）の終了をユーザによって選択される時点まで再生し、前記ユーザによって選択され、前記第１オーディオ／ビデオセグメント（ＡＶＳｅｇ３）に続いて再生される第２オーディオ／ビデオセグメント（ＡＶＳｅｇ７）の開始を再生しながら、前記ユーザによって相互作用により及び動的に選択される時点におけるオーディオ／ビデオセグメント（１１２）の変化途中に前記分離されたオーディオトラック（１１４ａ）を中断なく再生（Ｓ３４）するステップとを実行する方法。
【請求項１０】
前記映画エピソードデータ客体（１１）は、キューポイント（ＣＰ）を有する分離された前記オーディオトラック（１１４）を有する前記データストアに格納され、
前記キューポイント（ＣＰ）は、オーディオトラック（１１４ｃ）における位置を表示し、該オーディオトラック（１１４ｃ）の再生途中に、該オーディオトラック（１１４ｃ）は編集に適切であり、
再生装置（１）が、前記再生指示（１１１）によって、キューポイント（ＣＰ１）において、分離された前記オーディオトラック（１１４ｃ）を再生することを停止するステップと、
前記キューポイント（ＣＰ１）において、異なる分離されたオーディオトラック（１１４ｄ）を再生することを始めるステップとをさらに含む請求項９に記載の方法。
【請求項１１】
前記再生装置（１）が前記ユーザ決定命令によって前記オーディオトラック（１１４）を変化させるために前記キューポイント（ＣＰ）を前記再生指示（１１１）によって選択するステップをさらに含む請求項１０に記載の方法。
【請求項１２】
前記再生装置（１）が前記ユーザ決定命令によって異なる前記オーディオトラック（１１４）を前記再生指示（１１１）によって選択するステップをさらに含む請求項１０又は請求項１１に記載の方法。
【請求項１３】
再生される前記オーディオ／ビデオセグメント（ＡＶＳｅｇ７）の規定された時間コード（ＴＣ３）で前記オーディオトラック（１１４ａ）を停止するステップ、前記オーディオトラック（１１４）のビートで前記オーディオトラック（１１４）を停止するステップ、前記オーディオトラックを直ちに停止するステップ、再生される前記オーディオ／ビデオセグメント（ＡＶＳｅｇ７）の規定された前記時間コード（ＴＣ３）でフェードアウトを始めることによって前記オーディオトラック（１１４ａ）をフェードアウトするステップ、フェードアウトを直ちに始めることによって前記オーディオトラック（１１４）をフェードアウトするステップ、前記オーディオトラック（１１４ｃ）を適切なオーディオ終了トラック（１１４ｄ）に取り替えるステップ、及び前記オーディオトラック（１１４）を異なる前記オーディオトラック（１１４）にクロスフェードするステップ、のうち一つを行うことによって、前記再生装置（１）が前記再生指示（１１１）及び前記ユーザ決定命令によって、分離された前記オーディオトラック（１１４）を再生することを終了するステップをさらに含む請求項９から請求項１２のいずれかに記載の方法。
【請求項１４】
前記再生装置（１）が前記再生指示（１１１）及び前記ユーザ決定命令によって、再生されるオーディオ／ビデオセグメント（ＡＶＳｅｇ１）の規定された時間コード（ＴＣ）で前記オーディオ／ビデオセグメント（ＡＶＳｅｇ１）を再生することを停止するステップと、前記時間コード（ＴＣ）で、異なるオーディオ／ビデオセグメント（ＡＶＳｅｇ４）を再生することを始めるステップとをさらに含む請求項９から請求項１３のいずれかに記載の方法。
【請求項１５】
前記再生装置（１）がオーディオ／ビデオセグメント（ＡＶＳｅｇ１，ＡＶＳｅｇ４，ＡＶＳｅｇ３，ＡＶＳｅｇ７）及び該オーディオ／ビデオセグメント（ＡＶＳｅｇ１，ＡＶＳｅｇ４，ＡＶＳｅｇ３，ＡＶＳｅｇ７）と同時に再生される一つ以上の分離されたオーディオトラック（１１４ａ，１１４ｂ）を混合してマスタリングすることによってオーディオマスタートラックを発生させるステップをさらに含む請求項９から請求項１４のいずれかに記載の方法。
【請求項１６】
複数の通信端末（４１）からユーザ決定命令を前記コンピュータ化された再生装置（１）で受信するステップをさらに含み、
前記コンピュータ化された再生装置（１）が前記ユーザ決定命令から人気のあるユーザ決定命令を決定し、
前記再生装置（１）が、前記人気のあるユーザ決定命令によってオーディオ／ビデオセグメント（１１２）を検索して再生するステップ、オーディオトラック（１１４）を選択するステップ、前記オーディオトラック（１１４）を変化させるためにキューポイント（ＣＰ）を選択するステップ、前記オーディオトラック（１１４）を終了するステップ、再生される前記オーディオ／ビデオセグメント（ＡＶＳｅｇ１）の規定された時間コード（ＴＣ）で前記オーディオ／ビデオセグメント（ＡＶＳｅｇ１）を停止するステップ、及び前記時間コード（ＴＣ）で、異なるオーディオ／ビデオセグメント（ＡＶＳｅｇ４）を始めるステップのうち少なくとも一つを実行する請求項９から請求項１５のいずれかに記載の方法。
【請求項１７】
複数のオーディオ／ビデオセグメント（１１２）と、該オーディオ／ビデオセグメント（１１２）から分離されるとともにビデオコンテンツを有しないオーディオトラック（１１４）と、再生指示（１１１）とを有する映画エピソードデータ客体（１１）を格納した非一時的コンピュータ読み取り可能な媒体を備えるコンピュータプログラム製品であって、
前記再生指示（１１１）は、前記映画エピソードデータ客体（１１）から前記オーディオ／ビデオセグメント（１１２）を検索（Ｓ３１）及び再生（Ｓ３２）するステップと、
前記オーディオ／ビデオセグメント（１１２）を再生しながらユーザ決定命令から受信（Ｓ３６）するためにインターフェース要素を発生（Ｓ３５）させるステップと、
前記ユーザ決定命令によって前記映画エピソードデータ客体（１１）から追加の前記オーディオ／ビデオセグメント（１１２）を検索（Ｓ３１）及び再生（Ｓ３２）するステップと、
前記映画エピソードデータ客体（１１）から分離された前記オーディオトラック（１１４）の一つを検索（Ｓ３３）するステップと、
第１オーディオ／ビデオセグメント（ＡＶＳｅｇ３）の終了をユーザによって選択される時点まで再生し、前記ユーザによって選択され、前記第１オーディオ／ビデオセグメント（ＡＶＳｅｇ３）に続いて再生される第２オーディオ／ビデオセグメント（ＡＶＳｅｇ７）の開始を再生しながら、前記ユーザによって相互作用により及び動的に選択される時点で、前記オーディオ／ビデオセグメント（１１２）の変化途中に分離された前記オーディオトラック（１１４ａ）を中断なく再生（Ｓ３４）するステップとを実行するために再生装置（１）のプロセッサ１４を制御するように構成されるコンピュータプログラム製品。
【発明の詳細な説明】
【技術分野】
【０００１】
本発明は、相互作用視聴覚映画を再生する装置及び方法に関する。特に、本発明は、コンピュータ化された装置及び相互作用視聴覚映画を再生する、コンピュータ化された再生装置を用いる方法に関する。
【背景技術】
【０００２】
広帯域及び高データ処理量インターネットが各家庭に広範な基礎として使用可能になる前には、視聴覚映画は、ＤＶＤ又はＢＤディスクのような光ディスクに分布して再生産されてきた。光ディスクが映画の長さによって、一つ以上のディスク上の映画全体のデータを保存することを可能にするが、ダイナミック変化が、選択されたセグメントの保存されている光ディスク上の位置にリーダヘッドが物理的に移動することを要求することから、映画の一つのセグメントから選択された非連続のセグメントへの動的変化は、生得的に遅く、ユーザに注目すべき妨害をかけてきた。
【先行技術文献】
【特許文献】
【０００３】
【特許文献１】欧州特許第１８７３７８０号明細書
【特許文献２】欧州特許第１７６８４０４号明細書
【特許文献３】国際公開第２０１３／０１１８９５号
【特許文献４】米国特許出願公開第２０１４／０１６１４１９号明細書
【特許文献５】国際公開第２００７／０４６２４８号
【特許文献６】米国特許出願公開第２００４／１０５３４９号明細書
【特許文献７】米国特許出願公開第２００７／００９９６８４号明細書
【特許文献８】米国特許出願公開第２０１３／０２３９１３２号明細書
【特許文献９】米国特許出願公開第２００６／００６４７３３号明細書
【特許文献１０】米国特許出願公開第２０１１／２０２５６２号明細書
【特許文献１１】米国特許出願公開第２０１１／２００１１６号明細書
【０００４】
特許文献１は、光ディスク上に保存されるＭＰＥＧ２の使用によってスライドショーを実現する技術を記載している。具体的に、特許文献１は、一つ以上の静止画像を管理するクリップ層と、クリップに含まれる静止画像を使用するスライドショーの再生セクションを示す複数の再生アイテムを有する再生リスト層を使用することによって、記録媒体上に記録される静止画像と連結される視聴覚ストリームを管理する技術を記載している。
特許文献１は、スライドショーと同期化されるオーディオを再生することによって、それぞれの静止画像の再生開始時間が、それぞれのオーディオストリームで開始時間を含むオーディオのためのエントリーポイントマップと、開始時間及び終了時間に対応するソースパケットのアドレスを表示する情報とを用いてあらかじめ決定されることを記載している。
【０００５】
特許文献２は、光ディスク上に記録される複数のピクチャーデータピースがユーザによる視聴のために１つずつデコードされる、他のスライドショー再生機能を記載している。特許文献２によれば、光ディスクは、ビデオストリーム、オーディオストリーム及び再生リスト情報を含むスライドショーアプリケーションをその上に記録する。ビデオストリームは、ピクチャーデータを有するブラウジングユニットを有する。ピクチャーデータのディスプレイが停止する際、再生リスト情報は、デコーダバッファへの以降のブラウジングユニットを読む時間長と同一であるか又はこの時間長を超える静止期間を表示する。
【０００６】
ＤＶＤ又はＢＤディスク上に記録されるビデオ画像という文脈において、特許文献３及び特許文献４は、画像と同期化されないサウンドストリームを出力し続けながら画像のループ再生を行うプログラムを開示している。画像のループ再生は、前の画像がユーザに連続的に提示されている間に、リーダヘッドが新しいセグメントへ移動して新しいセグメントを読み取り得るスライドショーに適するかもしれないが、このような接近法は、相互作用視聴覚映画を再生するために要求されるように、ビデオセグメントの流れのユーザ選択された動的変更に応答して、リーダヘッドの移動に起因する注目すべき中断の問題を克服することはできない。
【０００７】
特許文献５は、光ディスク、例えば、ＤＶＤのような情報記憶システムを用いる情報再生システムを記載している。特許文献５によれば、提示客体、具体的には、向上したビデオ客体（ＥＶＯＢ）の再生産及びディスプレイは、光ディスク上に保存される再生リストによって管理される。特許文献６は、再生産経路が再生産の途中に変化する場合にもビデオ及びオーディオデータのシームレス再生産を可能にするために、高密度光ディスク上に記録される複数の再生産経路を有するデータストリームを再生産する方法及び装置を記載している。
【０００８】
個人計算装置の向上したメディア能力だけでなく広帯域高データ処理量インターネットの向上した使用可能性により、異なるストーリーラインがユーザの決定によって再生される相互作用視聴覚映画を処理及び制御するかかる装置において生得的に使用可能な演算力及びユーザインターフェース能力を用いることが可能になる。
【０００９】
特許文献７は、視聴者がビデオ又は映画環境においてストーリーと相互作用できる相互作用ストーリーラインを具現するシステムを記載している。特許文献７によれば、システムは、視聴者が同一状況から異なるストーリーを生成できるように、ストーリーラインを通じてメニュープロンプト及びブランチポイントを挿入し、視聴者選択によって代案のビデオコンテンツをディスプレイする。
【００１０】
特許文献８は、相互作用ダイナミック映画を可能にする装置を記載している。特許文献８によれば、正確に同数のフレーム及び同一の実行時間を有する代案の映画セグメントは、映画の代案の場面のために保存される。メッセージが視聴者に送信され、代案の映画セグメントのうちいずれのセグメントが再生されるべきかについて投票を要求する。大半の投票にしたがって、代案の映画セグメントから一つが選択されて再生される。
【００１１】
特許文献９は、ストーリーブランチ及び結果の動的選択を支援する視聴覚作品を再生する装置を記載している。特許文献９によれば、決定選択アイコンは、視聴覚作品のセグメントの再生途中にディスプレイされる。これらのアイコンのうち一つの選択を表すユーザ入力によって、視聴覚作品の他のセグメントが選択されて再生される。ユーザがストーリーを妨害し、次のセグメントに移動するとの要求を明確に示さない限り、セグメントは、その終了に到達し、次のセグメントが検索されて再生されるまで続けて再生される。
【００１２】
特許文献１０は、相互作用ビデオという脈絡においてデータマイニングのためのシステム及び方法を記載している。相互作用ビデオの提示途中に、ユーザは、例えば、相互作用ビデオの一つ以上の態様に関連する選択をし、オプションを選択するなどして、相互作用ビデオと相互作用することができる。このようなイベントは、マーケティングキャンペン、広告キャンペン、相互作用試験などのような相互作用ビデオと関連付けられる一つ以上のキャンペンの脈絡で記録、保存、及び分析される。
【００１３】
特許文献１１は、メディアのオンラインストリーミング及びプログレッシブダウンロードの途中におけるビデオ／オーディオセグメントのシームレスアセンブリーを記載しており、これによって、インターネットのようなネットワークを介して第２セグメントが第１セグメントの提示途中に顧客にダウンロードされる。その後、第１セグメントは、ジッター又はギャップがセグメントのビデオ又はオーディオの部分で転移ポイントを招かない第２セグメントの開始に付着される。ギャップレスメディアファイルは、同期化されたギャップレスオーディオタグがビデオセグメントでインタリーブされるギャップレスエンコーディング方式を用いてビデオ及びオーディオセグメントをエンコードするために生成される。特許文献１１によれば、ユーザはセグメントの完成後にセグメントのコース又は流れを変更することができる。このため、セグメントの流れを変更するユーザの命令は、現在セグメントの提示が完成するまで提示の流れに影響を与えず、ユーザの命令が効力を表すまで、ユーザは現在セグメントの終了を待つ必要がある。従来技術の解決策は、異なるストーリーラインを動的に生成するために視聴覚セグメントの相互作用選択を提供する。しかしながら、視聴者がセグメントの再生及びストーリーの叙述式流れを妨害しようとしない限り、ストーリーラインは、既に規定されるとともに変更不可な長さを有する中断されていないセグメントの順序で提示される。
【発明の概要】
【発明が解決しようとする課題】
【００１４】
本発明の目的は、相互作用視聴覚映画を再生する装置及び方法を提供することであり、その装置及び方法は、従来技術の短所の少なくとも一部を解決する。特に、メディア再生及びひいてはストーリーの叙述式流れを妨害しないで動的可変長のセグメントを再生することを可能にすることである。
【００１５】
本発明によれば、このような目的は、独立項の特徴によって達成される。また、さらなる好適な実施形態は、従属項及び詳細な説明から得られる。
【課題を解決するための手段】
【００１６】
本発明の一態様によれば、上述した目的は、特に、相互作用視聴覚映画を再生するコンピュータ化された装置が再生エンジン及び映画エピソードデータ客体を備えるという点で達成される。映画エピソードデータ客体は、複数のオーディオ／ビデオセグメント及び再生指示を有する。再生指示は、再生エンジンが映画エピソードデータ客体からオーディオ／ビデオセグメントを検索して再生し、オーディオ／ビデオセグメントを再生しながらユーザ決定命令から受信し、ユーザ決定命令に応じて映画エピソードデータ客体から追加のオーディオ／ビデオセグメントを検索して再生するように構成される。映画エピソードデータ客体は、オーディオ／ビデオセグメントから分離されるとともにビデオコンテンツを有しないオーディオトラックと、再生エンジンが、映画エピソードデータ客体から分離されたオーディオトラックの一つを検索し、第１オーディオ／ビデオセグメントの終了を、ユーザによって選択される時点まで再生し、ユーザによって選択されて第１オーディオ／ビデオセグメントに続いて再生される第２オーディオ／ビデオセグメントの開始を再生しながら、ユーザによって相互作用により及び動的に選択される時点におけるオーディオ／ビデオセグメントの変化途中にオーディオトラックを中断なく再生するように構成される追加の再生指示をさらに有する。分離されたオーディオトラックの提供は、視聴覚映画の再生途中にユーザによって相互作用により及び動的に選択される可変時点におけるオーディオ／ビデオセグメントの変化途中にも、ユーザがメディアコンテンツの中断されていない連続的なストリームを再生することを可能にする。したがって、ユーザ決定命令に応答して、第１オーディオ／ビデオセグメントの終了前の時点で、第１オーディオ／ビデオセグメントからユーザ選択された第２オーディオ／ビデオセグメントに変化されることを可能にすることによって、第１オーディオ／ビデオセグメントからユーザ選択された第２オーディオ／ビデオセグメントへの転移途中に、分離されたオーディオトラックの中断されていない再生を続けながら、第１オーディオ／ビデオセグメントの再生を中断し、以降の第２オーディオ／ビデオセグメントの再生を開始する。これは、ユーザ決定命令によって妨害される第１オーディオ／ビデオセグメントからユーザ決定命令によって選択される以降の第２オーディオ／ビデオセグメントへの転換途中に、ユーザに、中断されていない連続的なオーディオストリームを提供する。従来技術のシステムと違い、あらかじめ規定された連続的な無音ビデオセグメントの提供途中に連続的なオーディオトラックが再生される場合又は全体の前のオーディオ／ビデオセグメントの再生を完了した後にユーザ選択されたオーディオ／ビデオセグメントが再生される場合に、その開始からその終了まで、上記の記載された再生エンジン及び映画エピソードデータ客体は、再生が第１オーディオ／ビデオセグメントから第２オーディオ／ビデオセグメントに変化する時の時点をユーザが動的に及び相互作用によって決定するだけでなく、第１オーディオ／ビデオセグメントがその終了まで再生される前に、及び分離されたオーディオトラックが中断なく再生される間に、ユーザ選択された時点で、そのような第２オーディオ／ビデオセグメントを選択し、第１オーディオ／ビデオセグメントからユーザ選択された第２オーディオ／ビデオセグメントへの変化を行うことを可能にする。
【００１７】
上記態様においては、分離されたオーディオトラックはキューポイントを有し、キューポイントは、オーディオトラックにおける位置を表示し、そのようなオーディオトラックの再生途中に、オーディオトラックは編集に適切であり、映画エピソードデータ客体は、再生エンジンがキューポイントで、分離されたオーディオトラックを再生することを停止し、そのキューポイントで、異なる分離されたオーディオトラックを再生することを開始するように構成される再生指示をさらに有していてもよい。オーディオトラックの編集可能なポイントを表示するキューポイントは、連続的なシームレスサウンドトラックのためにオーディオトラックを動的に編集することを可能にすることによって、例えば、視聴覚映画の再生途中にユーザから受信されるユーザ決定命令に応答及び対応して、バックグラウンド音楽のムード及び／又は長さを変更するためにオーディオトラックの動的変化を可能にする。
【００１８】
更に、上記態様においては、映画エピソードデータ客体は、再生エンジンがユーザ決定命令によってオーディオトラックを変化させるためにキューポイントを選択するように構成される再生指示をさらに有していてもよい。
【００１９】
また、上記態様においては、映画エピソードデータ客体は、再生エンジンがユーザ決定命令によって、異なるオーディオトラックを選択するように構成される再生指示をさらに有していてもよい。
【００２０】
また、上記態様においては、映画エピソードデータ客体は、再生されるオーディオ／ビデオセグメントの規定された時間コードでオーディオトラックを停止し、オーディオトラックのビートでオーディオトラックを停止し、オーディオトラックを直ちに停止し、再生されるオーディオ／ビデオセグメントの規定された時間コードでフェードアウトを開始することによってオーディオトラックをフェードアウトし、フェードアウトを直ちに開始することによってオーディオトラックをフェードアウトし、オーディオトラックを適切なオーディオ終了トラックに取り替え、及び／又はオーディオトラックを異なるオーディオトラックにクロスフェードすることによって、再生エンジンが、ユーザ決定命令によって、分離されたオーディオトラックを再生することを終了するように構成される再生指示をさらに有していてもよい。このようにすることで、例えば、視聴覚映画の再生途中にユーザから受信されるユーザ決定命令に応答及び対応して、視聴覚映画の再生途中にオーディオトラックの終了を動的に変更して適応させることが可能である。
【００２１】
上記態様においては、映画エピソードデータ客体は、再生エンジンが、ユーザ決定命令によって、再生されるオーディオ／ビデオセグメントの規定された時間コードで、オーディオ／ビデオセグメントを再生することを停止し、その時間コードで、異なるオーディオ／ビデオセグメントを再生することを開始するように構成される再生指示をさらに有していてもよい。
【００２２】
また、上記態様においては、再生エンジンは、オーディオ／ビデオセグメントのオーディオ部分及びオーディオ／ビデオセグメントと同時に再生される一つ以上の分離されたオーディオトラックを混合してマスタリングすることによってオーディオマスターを発生させるように構成されてもよい。
【００２３】
上記態様においては、コンピュータ化された装置は、複数の通信端末からユーザ決定命令を受信し、ユーザ決定命令から人気のあるユーザ決定命令を決定するように構成される相互作用サーバーをさらに備えていてもよい。再生エンジンは、人気のあるユーザ決定命令によって、オーディオ／ビデオセグメントを検索して再生するステップ、オーディオトラックを選択するステップ、オーディオトラックを変更するためにキューポイントを選択するステップ、オーディオトラックを終了するステップ、再生されるオーディオ／ビデオセグメントの規定された時間コードで、オーディオ／ビデオセグメントを停止するステップ、及び／又はその時間コードで、異なるオーディオ／ビデオセグメントを始めるステップを行うように構成される。
相互作用視聴覚映画を再生するコンピュータ化された装置の他に、本発明は、相互作用視聴覚映画を再生する方法にも関する。方法は、コンピュータ化された再生装置のデータストアに複数のオーディオ／ビデオセグメント、オーディオ／ビデオセグメントから分離されるとともにビデオコンテンツを有しないオーディオトラック、及び再生指示を有する映画エピソードデータ客体を格納するステップを含む。
上記方法は、再生装置が映画エピソードデータ客体から再生指示を検索するステップと、再生指示によって、再生装置が、エピソードデータ客体からオーディオ／ビデオセグメントを検索して再生するステップと、オーディオ／ビデオセグメントを再生しながらユーザ決定命令から受信するためにインターフェース要素を発生させるステップと、ユーザ決定命令によって映画エピソードデータ客体から追加オーディオビデオセグメントを検索して再生するステップと、映画エピソードデータ客体から、分離されたオーディオトラックの一つを検索するステップと、第１オーディオ／ビデオセグメントの終了をユーザによって選択される時点まで再生し、ユーザによって選択され、第１オーディオ／ビデオセグメントに続いて再生される第２オーディオ／ビデオセグメントの開始を再生しながら、ユーザによって相互作用により及び動的に選択される時点に発生するオーディオ／ビデオセグメントの変化途中に、分離されたオーディオトラックを中断なく再生するステップとをさらに含んでいてもよい。
【００２４】
上記態様においては、映画エピソードデータ客体は、キューポイントを有する分離されたオーディオトラックを有するデータストアに格納され、キューポイントは、オーディオトラックおける位置を表示し、オーディオトラックの再生途中に、オーディオトラックは編集に適切であり、方法は、再生装置が、再生指示によって、キューポイントで、分離されたオーディオトラックを再生することを停止するステップと、そのキューポイントで、異なる分離されたオーディオトラックを再生することを始めるステップと、をさらに含んでいてもよい。
上記態様においては、方法は、再生装置が、再生指示によって、オーディオトラックをユーザ決定命令によって変化させるためにキューポイントを選択するステップをさらに含んでいてもよい。
【００２５】
上記態様においては、方法は、再生装置が、再生指示によって、異なるオーディオトラックをユーザ決定命令によって選択するステップをさらに含んでいてもよい。
【００２６】
上記態様においては、方法は、再生されるオーディオ／ビデオセグメントの規定された時間コードでオーディオトラックを停止し、オーディオトラックのビートでオーディオトラックを停止し、オーディオトラックを直ちに停止し、再生されるオーディオ／ビデオセグメントの規定された時間コードでフェードアウトを開始することによってオーディオトラックをフェードアウトし、フェードアウトを直ちに開始することによってオーディオトラックをフェードアウトし、オーディオトラックを適切なオーディオ終了トラックに取り替え、及び／又はオーディオトラックを異なるオーディオトラックにクロスフェーディングすることによって、再生装置が再生指示及びユーザ決定命令によって、分離されたオーディオトラックを再生することを終了するステップをさらに含んでいてもよい。
【００２７】
上記態様においては、方法は、再生装置が、再生指示及びユーザ決定命令によって、再生されるオーディオ／ビデオセグメントの規定された時間コードでオーディオ／ビデオセグメントを再生することを停止するステップと、その時間コードで、異なるオーディオ／ビデオセグメントを再生することを始めるステップとをさらに含んでいてもよい。
【００２８】
上記態様においては、方法は、再生装置がオーディオ／ビデオセグメントのオーディオ部分及びオーディオ／ビデオセグメントと同時に再生される一つ以上の分離されたオーディオトラックを混合してマスタリングすることによってオーディオマスターを発生させるステップをさらに含んでいてもよい。
上記態様においては、方法は、コンピュータ化された再生装置が複数の通信端末からユーザ決定命令を受信するステップと、コンピュータ化された再生装置がユーザ決定命令から人気のあるユーザ決定命令を決定するステップとをさらに含んでいてもよい。再生装置は、人気のあるユーザ決定命令によって、オーディオ／ビデオセグメントを検索して再生するステップ、オーディオトラックを選択するステップ、オーディオトラックを変化させるためにキューポイントを選択するステップ、オーディオトラックを終了するステップ、再生されるオーディオ／ビデオセグメントの規定された時間コードでオーディオ／ビデオセグメントを停止するステップ、及び／又はその時間コードで、異なるオーディオ／ビデオセグメントを始めるステップを行う。
【００２９】
相互作用視聴覚映画を再生するコンピュータ化された装置及び方法の他に、本発明は、複数のオーディオ／ビデオセグメントと、オーディオ／ビデオセグメントから分離されるとともにビデオコンテンツを有しないオーディオトラックと、再生指示を有する映画エピソードデータ客体を格納した非一時的コンピュータ読み取り可能な媒体を備えるコンピュータプログラム製品にも関する。再生指示は、映画エピソードデータ客体からオーディオ／ビデオセグメントを検索して再生し、オーディオ／ビデオセグメントを再生しながらユーザ決定命令から受信するためにインターフェース要素を発生させ、ユーザ決定命令によって映画エピソードデータ客体から追加のオーディオ／ビデオセグメントを検索して再生し、映画エピソードデータ客体から、分離されたオーディオトラックの一つを検索し、第１オーディオ／ビデオセグメントの終了を、ユーザによって選択される時点まで再生し、ユーザによって選択され、第１オーディオ／ビデオセグメントに続いて再生される第２オーディオ／ビデオセグメントの開始を再生しながら、ユーザによって相互作用により及び動的に選択される時点に発生するオーディオ／ビデオセグメントの変化途中に、分離されたオーディオトラックを中断なく再生するために再生装置のプロセッサを制御するように構成される。
【図面の簡単な説明】
【００３０】
図面を参照して、本発明を例としてより詳しく説明する。
【図１】電気通信ネットワークを介して媒体サーバーに接続されるコンピュータ化された再生装置を概略的に示すブロック図である。
【図２】ディスプレイと、プロセッサと、再生エンジン及び映画エピソードデータ客体を有するプログラム／データストアと、を含むコンピュータ化された再生装置を概略的に示すブロック図である。
【図３】相互作用視聴覚映画の映画エピソードデータ客体の例示的な順序を概略的に示すブロック図である。
【図４】相互作用視聴覚映画を再生するステップの例示的な順序を示す流れ図である。
【図５】相互作用視聴覚映画を再生するコンピュータ化された再生装置でデータの流れを概略的に示すブロック図である。
【図６】オーディオ／ビデオセグメントの異なる可能な順序の一例を示す流れ図である。
【図７】決定がスクリプトを実行することによって作られる２個の異なる順序の間で決定ポイントを示す流れ図である。
【図８】少なくとも２個の連続的なオーディオ／ビデオセグメントの境界にわたってオーディオ／ビデオセグメントの順序及びその順序と同時に再生される分離されたオーディオトラックの一例を示す時間ダイアグラムである。
【図９】キューポイントを有する分離されたオーディオトラック及び分離されたオーディオトラックのキューポイントで挿入されるオーディオ終了トラックの一例を図示する。
【図１０】ユーザ決定命令を入力するインターフェース要素を有するオーディオ／ビデオセグメントの一例を図示し、決定命令の入力時に、ユーザ選択されたオーディオビデオセグメントの再生は、前のオーディオビデオセグメントの終了時に開始する。
【図１１】インターフェース要素を有するオーディオ／ビデオセグメントの一例を図示し、ユーザ選択されたオーディオビデオセグメントの再生は、インターフェース要素の活性化時に開始する。
【図１２】インターフェース要素を有するオーディオ／ビデオセグメントの一例を図示し、ユーザ選択されたオーディオビデオセグメントの再生は、インターフェース要素の活性化後に、規定された時間コードで開始する。
【図１３】電気通信ネットワークを介して通信端末に接続されるコンピュータ化された再生システムを概略的に示すブロック図である。
【発明を実施するための形態】
【００３１】
図１、図２、図５及び図１３において、参照番号１は、相互作用視聴覚映画を再生するコンピュータ化された装置を表す。図１、図２、及び図５に示されるように、コンピュータ化された再生装置１は、視聴覚映画（提供された映画１００＊）のビデオセグメントを視聴者に示すためのディスプレイ１０を備える。
ディスプレイ１０は、例えば、マルチタッチディスプレイである必要はないが、タッチ感応ディスプレイとして構成され、ユーザがディスプレイスクリーンをタッチすることによって命令を入力できるようにする。
図１３に図示する実施形態において、コンピュータ化された再生システム１’又はコンピュータ化された再生装置１はそれぞれ、例えば、映画館で投影スクリーン１０ｂ上の投影により複数の視聴者４に視聴覚映画のビデオセグメントを示すように構成される投影システム１０ａを備える。図示してはいないが、コンピュータ化された再生装置１は、また、ラウドスピーカー又はヘッドホンのような電子音響コンバータ、又は視聴覚映画のオーディオセグメントをユーザに再生する再生装置１に電子音響コンバータを連結する少なくとも一つの連結インターフェースを備える。
図２に概略的に示すように、コンピュータ化された再生装置１は、プロセッサ１４、及びプロセッサ１４に接続されるプログラム／データストア１３をさらに備える。
プログラム／データストア１３は、内部に再生エンジン１２を格納し、一つ以上の映画エピソードデータ客体１１を格納するように構成される。プログラム／データストア１３は、ランダムアクセスメモリ、フラッシュメモリ、及び／又は動的ランダムアクセスメモリなどを有する電子データメモリを備える。
再生エンジン１２は、相互作用視聴覚映画を再生するために、より詳しく後述されるように、様々な機能を実行するためにプロセッサ１４を制御するように構成されるコンピュータプログラムコードを備える。
本実施形態によって、再生エンジン１２のコンピュータプログラムコードは、プロセッサ１４に固定又は除去可能な方式で接続される非一時的コンピュータ読み取り可能な媒体上に格納される。当業者は代案の実施形態で、再生エンジン１２がハードウェアにおいて全体的に又は部分的に具現されてもよいと理解することができる。
【００３２】
コンピュータ化された再生装置１は、移動無線電話（所謂、スマートフォン）、タブレットコンピュータ、ノート型又はラップトップコンピュータ、又は他の個人コンピュータ、例えば、ディスプレイスクリーンを有するデスクトップコンピュータとして具現される。図１３に図示する実施形態で、コンピュータ化された再生装置１は、投影システム１０ｂから分離されたり投影システムと統合されたりするコンピュータシステムとして具現される。
【００３３】
一実施形態において、再生エンジン１２及び少なくとも一つの映画エピソードデータ客体１１は、例えば、媒体サーバー３から電気通信ネットワーク２を介して、一つの共通データファイルの一部、例えば、再生装置１内にローディング可能なアプレットである。媒体サーバー３上で、そのようなアプレット及び／又は映画エピソードデータ客体１１は、相互作用視聴覚映画のデータストア３０に格納される。例えば、電気通信ネットワーク２は、インターネットにアクセスする固定通信ネットワーク及び移動無線通信ネットワーク、例えば、携帯電話ネットワーク、例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）又はＵＭＴＳ（Ｕｎｉｖｅｒｓａｌ  Ｍｏｂｉｌｅ  Ｔｅｌｅｐｈｏｎｅ  Ｓｙｓｔｅｍ）、又は他の無線ベースネットワーク、例えば、ＷＬＡＮ（Ｗｉｒｅｌｅｓｓ  Ｌｏｃａｌ  Ａｒｅａ  Ｎｅｔｗｏｒｋ）だけでなく、インターネットも含む。
【００３４】
図５に概略的に示されるように、映画エピソードデータ客体１１は、再生指示１１１、オーディオ／ビデオセグメント１１２、ビデオコンテンツを有しないと共にオーディオ／ビデオセグメント１１２から分離されたオーディオトラック１１４、及び他のデータ客体１１３を備える。
分離されたオーディオトラック１１４だけでなくオーディオ／ビデオセグメント１１２は、それぞれ異なる及び可変の長さ、すなわち、異なる数のフレーム及び／又は期間を有することができる。
映画エピソードデータ客体１１は、相互作用オーディオ／ビデオ映画の一つのエピソードのために必要な全てのデータ、具体的に、ユーザ決定命令によって視聴者が相互作用により規定し得る様々な可能な順序のための全てのオーディオ／ビデオセグメント１１２及び分離されたオーディオトラック１１４を備える。その実施形態、構成及び／又は長さによって、相互作用聴覚／視覚映画１１１は、図３に示されるように、数個のエピソードを有し、規定された順序で処理される数個の映画エピソードデータ客体１１を備える、又は、相互作用聴覚／視覚映画１００は、全相互作用聴覚／視覚映画１００の全てのデータを含む一つのエピソードデータ客体１１を有する一つのエピソードだけを有する。より詳しく後述するように、再生指示１１１は、再生エンジン１２が相互作用視聴覚映画を再生するように構成される。具体的に、再生指示１１１は、再生エンジン１２が映画エピソードデータ客体１１からオーディオ／ビデオセグメント１１２及び分離されたオーディオトラック１１４を検索して再生し、オーディオ／ビデオセグメント１１２及び分離されたオーディオトラック１１４を再生しながらユーザ決定命令から受信し、ユーザ決定命令によって映画エピソードデータ客体１１から追加のオーディオ／ビデオセグメント１１２及び分離されたオーディオトラック１１４を検索して再生するように構成される。例えば、再生指示１１１は、ＨＴＭＬ（Ｈｙｐｅｒｔｅｘｔ  Ｍａｒｋｕｐ  Ｌａｎｇｕａｇｅ）のようなマークアップ言語によって具現される。当業者は代案の実施形態において、再生指示１１１が他の言語、例えば、再生エンジン１２のジャバ仮想マシン上で実行されたり解釈されたりするジャバ（サンマイクロシステムインコーポレイテッドの登録商標）によって具現されてもよいと理解することができる。
【００３５】
以下の段落で、相互作用視聴覚映画１００を再生するために再生エンジン１２によって行われるステップの可能な順序を、図４を参照して記載する。
【００３６】
選択的な準備ステップＳ０で、再生エンジン１２は、コンピュータ化された再生装置１にローディングされて格納される。例えば、再生エンジン１２は、アプリ又はアプリケーションサーバーから又は媒体サーバー３から電気通信ネットワーク２を介してアプレットとしてローディングされる。
【００３７】
準備ステップＳ１で、選択された相互作用聴覚／視覚映画１００の映画エピソードデータ客体１１は、コンピュータ化された再生装置１にローディングされて格納される。例えば、映画エピソードデータ客体１１は、媒体サーバー３から電気通信ネットワーク２を介してローディングされる。一実施形態において、ステップＳ０及びＳ１は、上述したように、再生エンジン１２及び少なくとも一つの映画エピソードデータ客体１１が、一つの結合されたデータ客体、例えば、アプレットの形態でローディングされて格納されるという点で結合される。
【００３８】
図４に概略的に示されるように、ステップＳ１’では、選択された相互作用聴覚／視覚映画１００の後続エピソードのための追加の映画エピソードデータ客体１１が、コンピュータ化された再生装置１にローディングされて格納される。
一実施形態において、選択された相互作用聴覚／視覚映画１００の全エピソードのための映画エピソードデータ客体１１がローディングされるまで、追加の映画エピソードデータ客体１１は、前にローディングされた映画エピソードデータ客体１１が再生エンジン１２によって処理されている間にローディングされる。
それぞれの映画エピソードデータ客体１１がコンピュータ化された再生装置１に全体的に及び完全にローディングされて格納されると、映画エピソードデータ客体１１の処理だけが始まる。映画エピソードデータ客体１１のダウンロードが再生エンジン１２によって制御され、選択された相互作用聴覚／視覚映画１００は妨害又は遅延無しで再生され得る。したがって、電気通信ネットワーク２の使用可能な帯域幅によって、一つより多い映画エピソードデータ客体１１が、相互作用聴覚／視覚映画１００の再生がその第１映画エピソードデータ客体１１を処理することによって始まる前に、ローディングされて格納されてもよい。
【００３９】
ステップＳ２で、再生エンジン１２は、（現在の）映画エピソードデータ客体１１から再生指示１１１を検索する。
再生指示１１１は、再生指示１１１が処理される順序又は方式を変化させる条件及び／又はイベント、すなわち、再生指示１１１の順序においてジャンプ又は変更を引き起こす条件及び／又はイベントがない限り、これらの再生指示が映画エピソードデータ客体１１に保存される順番で一つずつ検索される。
【００４０】
ステップＳ３で、再生エンジン１２は、検索された再生指示１１１を処理する。図４に概略的に示されるように、再生指示１１１によって、再生エンジン１２は、異なるステップＳ３１，Ｓ３２，Ｓ３３，Ｓ３４，Ｓ３５，Ｓ３６を実行し、これらの一部は同時に行われてもよい。
【００４１】
ステップＳ３１で、再生エンジン１２は、（現在の）映画エピソードデータ客体１１から、再生指示１１１によって指定されるオーディオ／ビデオセグメント１１２を検索する。
【００４２】
ステップＳ３２で、再生エンジン１２は、検索されたオーディオ／ビデオセグメント１１２を再生する。具体的に、再生エンジン１２は、ディスプレイ１０上にオーディオ／ビデオセグメント１１２のフレームの順序を示し、電子音響コンバータを用いてオーディオ／ビデオセグメント１１２の同期化されたオーディオトラックを再生する。
【００４３】
ステップＳ３３で、再生エンジン１２は、（現在の）映画エピソードデータ客体１１から、再生指示１１１によって指定される分離されたオーディオトラック１１４を検索する。
【００４４】
ステップＳ３４で、再生エンジン１２は、分離されたオーディオトラック１１４を再生する。より詳しく後述するように、オーディオ／ビデオセグメント１１２の提供と分離されたオーディオトラック１１４とのタイミング及び／又は同期化は、再生指示１１１及び／又はユーザ決定命令に依存する。
【００４５】
ステップＳ３５で、再生エンジン１２は、再生指示１１１によって規定されるインターフェース要素１００’（図５参照）を発生させる。
インターフェース要素は、映画へのオーバーレイ（又はアンダーレイ）としてディスプレイ１０上に提供される。
再生エンジン１２は、ボタンＢ又は他のグラフィックユーザインターフェース要素のような可視インターフェース要素、及びディスプレイ１０上にディスプレイ１０の特定の「活性」領域又は提供された映画１００＊をそれぞれ規定するマスクＭとして機能する非可視インターフェース要素を含む、異なる類型のインターフェース要素１００’を発生させる。
インターフェース要素の少なくとも一部は、他のデータ客体１１３として映画エピソードデータ客体１１に格納される。非可視インターフェース要素は、提供された映画においてユーザが特定の客体及び／又は人をタッチしたりタップしたりしてアンダーレイ（又はオーバーレイ）活性領域をタッチすることによってそれらを選択できるようにする。非可視インターフェース要素によって規定されるマスクＭ又は活性領域はアニメ−トされ、例えば、それらは映画が再生されている間に、動的に、例えば、秒当たりに５倍の割合で変化し、それぞれの客体又は人の移動を追従して、ディスプレイ１０上でそれらの相対的な位置が変化する時にも視聴者に対して活性を維持する。例えば、非可視インターフェース要素又はマスクＭは、それぞれ低解像度ビットマップイメージ（例えば、２４０×９６ピクセルを有するＰＮＧ（Ｐｏｒｔａｂｌｅ  Ｎｅｔｗｏｒｋ  Ｇｒａｐｈｉｃｓ））のシーケンスとして具現される。ビットマップイメージは黒色であり、一つ以上の活性領域を規定するカラー領域を有する。ビットマップイメージは、ディスプレイ１０で全体の映画ディスプレイウィンドウをカバーする。カラー領域が視聴者によってタッチされる場合に、カラー値は再生エンジン１２へ戻るが、黒色領域をタッチすることは何ら作動も引き起こさない。
【００４６】
図１３に図示する実施形態において、可視インターフェース要素が発生して、再生エンジン１２によって投影スクリーン１０ａ上に現れるが、視聴者／ユーザ相互作用は、電気通信ネットワーク２を介してコンピュータ化された再生装置１又はコンピュータ化された相互作用サーバー４３と通信するように構成される通信端末４１、例えば、携帯電話、タブレットコンピュータ、又は他の移動データ通信装置のような移動通信装置によって可能になる。代案として、通信端末４１は、例えば、映画館内の少なくとも一部の座席に固定方式で設置され、有線又は無線通信ネットワークを介してコンピュータ化された再生システム１’又はコンピュータ化された再生装置１にそれぞれ接続される。
相互作用サーバー４３は、コンピュータ化された再生装置１から分離されたり、又はこの再生装置に統合されたりするコンピュータシステムとして具現される。
一実施形態で、相互作用サーバー４３は再生エンジン１２の一部であるか、再生装置と統合される。
相互作用サーバー４３は、電気通信ネットワーク２又は他の電気通信ネットワーク、例えば、ＬＡＮ又はＷＬＡＮを介して通信端末４１に接続することができる。
相互作用サーバー４３は、通信端末４１に相互作用モジュール４２、例えば、通信端末４１上にダウンロードされて実行されたり、又は、例えばウェブサイト又はウェブサーバーとして相互作用サーバー４３のコンピュータ上で具現されて実行されたりするプログラミングされたソフトウェアモジュール（アプレット）を提供するように構成される。
相互作用サーバー４３は、さらに、再生エンジン１２によって投影スクリーン１０ａ上に現れ、発生するインターフェース要素と同期化されるインターフェース要素を発生させて、通信端末４１のディスプレイ上に示すように構成される。
一実施形態において、インターフェース要素は、相互作用モジュール４２によって発生して示される。図１３に概略的に示されるように、外部媒体サーバー３は選択的である。
一実施形態において、媒体サーバー及び少なくとも一つの相互作用視聴覚映画を有するデータストアは、それぞれ、コンピュータ化された再生システム１’又はそれのコンピュータ化された再生装置１の一部である。代案として、コンピュータ化された再生装置１は、例えば、完了した相互作用視聴覚映画のための映画エピソードデータ客体を外部媒体サーバー３から検索し、それらをコンピュータ化された再生装置１のデータストアに局部的に格納するように構成されてもよい。
【００４７】
ステップＳ３６において、再生エンジン１２は、タッチ感応ディスプレイ１０上に提供されるインターフェース要素１００’を介してユーザによって入力されるユーザ決定命令を受信する。ボタン又は活性領域をタッチしたりクリックしたりすることは、特定ユーザ決定命令と関連付けられ、及び／又はそれぞれのインターフェース要素に割り当てられる規定された作動を触発（ｔｒｉｇｇｅｒ）させる。例えば、ボタンは、「はいと言う」又は「いいえと言う」のようなテキスト又はシンボルとして表示される作動を触発させることができる一方、活性領域は、例えば、戻ってきたカラー値によって、それの意図した目的のために特定の客体を取って使用する、例えば、「銃を取って撃つ」のように、それぞれの客体又は人と関連付いた作動を触発させることができる。図１３に図示する実施形態において、参照番号Ｓ６’で表示するように、視聴者は、投影スクリーン１０ａ上に示される相互作用聴覚／視覚映画を視聴する。参照番号Ｓ７’で表示するように、投影スクリーン１０ａ及び通信端末４１のディスプレイ上に同期化された方式で発生して現れるインターフェース要素に応答して、視聴者４は通信端末４１を用いてユーザ決定命令を入力し、コンピュータ化された再生装置１又は相互作用サーバー４３に伝送する。視聴者は、相互作用モジュール４２を介して彼らの決定命令を入力する。例えば、視聴者は、ステップＳ３６を参照して上述したように、彼らの通信端末４１のタッチ感応ディスプレイを用いて彼らの決定命令を入力する。
【００４８】
ステップＳ４で、再生エンジン１２は、ユーザ決定命令が受信されたか否かを判断する。決定命令が受信されなかった場合、再生エンジン１２は、映画エピソードデータ客体１１に規定される順序で再生指示１１１を処理し続ける。決定命令が受信された場合には、再生エンジン１２はステップＳ５でユーザ決定命令を処理する。
【００４９】
図１３に図示する実施形態において、相互作用サーバー４３は、複数の視聴者４から受信されるユーザ決定命令を保存して処理する。相互作用サーバー４３は、受信したユーザ決定命令から、それぞれのインターフェース要素と関連する人気のある決定命令を決定するように構成される。実施形態及び／又は構成によって、人気のある決定命令は、例えば、現在の全視聴者の数及び／又は異なる視聴者又は彼らの各チケット又はユーザ権利と関連付けられる加重要素を考慮して、大半の受信された決定命令によって決定される。
ステップＳ５において、再生エンジン１２は、ユーザ決定命令又は人気のある決定命令のそれぞれによって再生指示１１１を処理する。具体的に、再生エンジン１２は、再生指示１１１の順序をジャンプしたりして変更する。より具体的には、（人気のある）ユーザ決定命令に応答して及びこの決定命令によって、再生エンジン１２は、異なるオーディオ／ビデオセグメント１１２及び／又は分離されたオーディオトラック１１４の検索及び再生と相互作用聴覚／視覚映画１００のコースの最終的な変更を引き起こす再生指示１１１の異なる順序にしたがう。
【００５０】
図５は、コンピュータ化された再生装置１及びそのタッチ感応ディスプレイ１０とユーザ又は視聴者４との相互作用、又は提供された相互作用聴覚／視覚映画１００＊とユーザ又は視聴者４との相互作用をそれぞれ概略的に示す。具体的には、図５において、参照番号Ｓ６は、ディスプレイ上で再生される相互作用聴覚／視覚映画１００＊を視聴する視聴者の活動を表し、参照番号Ｓ７は、ディスプレイ１０上に現れる相互作用聴覚／視覚映画１００＊が提供されるインターフェース要素１００’を活性化／タッチすることによって決定を下す視聴者の活動を表す。
【００５１】
図６は、オーディオ／ビデオセグメント（セグメント０１〜セグメント１１）の異なる可能な順序の一例を図示する。順序は、決定ポイントＤＰ１，ＤＰ２，ＤＰ３，ＤＰ４，ＤＰ５，ＤＰ６を規定する再生指示１１１によって規定され、受信されたユーザ決定命令によって異なる順序が規定され、よって、異なるオーディオ／ビデオセグメント１１２（及び／又は、分離されたオーディオトラック１１４）が検索されて再生される。例えば、決定ポイントＤＰ１で、セグメント０１の再生途中に受信されるユーザ決定命令によって、再生エンジン１２はセグメント０２、セグメント０３、又はセグメント０４のうち一つのセグメントを検索して再生することによって順序を続ける。
図６は、決定ポイントＤＰ２、ＤＰ４、ＤＰ５又はＤＰ６のそれぞれで受信されたり処理されたりするユーザ決定命令によって、例えば、セグメント０６、セグメント０９、セグメント１０、又はセグメント１１を検索して再生することによって、異なる順序又は経路が再び結合されてもよいことを示している。
選択されたオーディオ／ビデオセグメント１１２（又は、分離されたオーディオトラック１１４）の長さ（期間、フレーム番号）はそれぞれ異なり且つ可変してもよいことに注目しなければならない。さらに、ユーザ決定命令によって、エピソード又は順序は、異なる末尾を有することができ、すなわち、順序、エピソード又は相互作用聴覚／視覚映画の末尾において、異なるオーディオ／ビデオセグメント１１２は再生エンジン１２によって検索されて再生されてもよい。
【００５２】
図７は、オーディオ／ビデオセグメント（セグメント０１〜セグメント０２、又はセグメント０１〜セグメント０３）の異なる可能な順序の一例を図示しており、再生指示１１１は、異なる順序がスクリプトＣによって規定される決定ポイントＤＰ６を規定する。
スクリプトＣは、例えば、ジャバ（サンマイクロシステムインコーポレイテッドの登録商標）のようなプログラム言語で記録される一つ以上の論理表現を含む。実行された作動及びユーザ決定命令を含む一つ以上の変数によって、スクリプトＣは、前のオーディオ／ビデオセグメントセグメント０１の次に、再生エンジン１２によって検索されて再生されるオーディオ／ビデオセグメントセグメント０２又はセグメント０３（又は、分離されたオーディオトラック１１４）を決定する。一実施形態において、スクリプトＣは、ランダム化された変数、例えば、ランダム発生器による出力に基づく。
【００５３】
図８は、相互作用聴覚／視覚映画のオーディオ／ビデオセグメントＡＶＳｅｇ１，ＡＶＳｅｇ４，ＡＶＳｅｇ３，ＡＶＳｅｇ７の順序が再生されている間に、再生エンジン１２によって再生される分離されたオーディオトラック１１４ａ，１１４ｂの一例を図示する。
図８に示されるように、相互作用聴覚／視覚映画のオーディオ／ビデオセグメントＡＶＳｅｇ１，ＡＶＳｅｇ４，ＡＶＳｅｇ３，ＡＶＳｅｇ７の順序が再生されている間に、分離されたオーディオトラック１１４ａ，１１４ｂは再生エンジン１２によって再生されている。
図８から分かるように、分離されたオーディオトラック１１４ａ，１１４ｂは、一つより多いオーディオ／ビデオセグメントＡＶＳｅｇ１，ＡＶＳｅｇ４，ＡＶＳｅｇ３，ＡＶＳｅｇ７にわたって再生エンジン１２によって再生されており、特に、分離されたオーディオトラック１１４ａ，１１４ｂは、２個の連続したオーディオ／ビデオセグメントＡＶＳｅｇ１，ＡＶＳｅｇ４，ＡＶＳｅｇ３，ＡＶＳｅｇ７の転換にわたって再生エンジン１２によって再生されている。したがって、再生指示は、２個の連続したオーディオ／ビデオセグメント（例えば、オーディオ／ビデオセグメントＡＶＳｅｇ３及びＡＶＳｅｇ７）の境界を越えて中断なく、すなわち、前の第１オーディオ／ビデオセグメント（例えば、オーディオ／ビデオセグメントＡＶＳｅｇ３）から次の第２オーディオ／ビデオセグメント（例えば、オーディオ／ビデオセグメントＡＶＳｅｇ７）への転移途中に、又は前の第１オーディオ／ビデオセグメント（例えば、オーディオ／ビデオセグメントＡＶＳｅｇ３）の末尾及び次の第２オーディオ／ビデオセグメント（例えば、オーディオ／ビデオセグメントＡＶＳｅｇ７）の先頭を再生する間に、再生エンジン１２が分離されたオーディオトラック１１４ａ，１１４ｂを再生するようにする。
【００５４】
特定の分離されたオーディオトラック１１４の選択、検索、及び再生は、再生指示１１１によって規定される。シナリオによって、検索及び再生の実際の開始又は活性化は、ユーザ決定命令及び／又は再生のために選択される特定のオーディオ／ビデオセグメント１１２によってさらに規定される。
図８の例で、再生指示１１１は、再生エンジン１２が特定オーディオ／ビデオセグメントＡＶＳｅｇ４の再生途中に、特定時間コードＴＣ２で、分離されたオーディオトラック１１４ａを検索して再生し、特定オーディオ／ビデオセグメントＡＶＳｅｇ１の再生途中に、特定時間コードＴＣ１で、分離されたオーディオトラック１１４ｂを再生するようにする。
【００５５】
分離されたオーディオトラック１１４の再生は、それぞれの分離されたオーディオトラック１１４の終了によって又は代案の再生指示１１１によって規定される通りにして終了する。
図８の例で、再生指示１１１は、再生エンジン１２が分離されたオーディオトラック１１４ａのフェードアウトを特定時間コードＴＣ３で始まることによって、特定オーディオ／ビデオセグメントＡＶＳｅｇ７の特定時間コードＴＣ３で、分離されたオーディオトラック１１４ａの再生を終了させる。再生されるオーディオ／ビデオセグメント１１２の規定された時間コードにおいて、分離されたオーディオトラック１１４を停止させる他に、再生エンジン１２が、分離されたオーディオトラック１１４のビートで、分離されたオーディオトラック１１４を停止し、分離されたオーディオトラック１１４を直ちに停止し、再生されるオーディオ／ビデオセグメントの規定された時間コードでフェードアウトを始めることによって、分離されたオーディオトラック１１４をフェードアウトし、及び／又はフェードアウトを直ちに始めることによって、分離されたオーディオトラック１１４をフェードアウトさせる、他の再生指示１１１もある。
【００５６】
また、図９を参照して以下に述べるように、再生エンジン１２が、分離されたオーディオトラック１１４を他の分離されたオーディオトラック１１４にクロスフェードし、及び／又は分離されたオーディオトラック１１４を適切なオーディオ終了トラックに取り替えるようにする、他の再生指示１１１もある。
【００５７】
図９の例で、分離されたオーディオトラック１１４ｃは、分離されたオーディオトラック１１４ｃの再生途中に編集に適切な分離されたオーディオトラック１１４ｃにおける位置を各ケースに表示するキューポイントＣＰを含む。
キューポイントは、例えば、分離されたオーディオトラック１１４ｃの一部として又は分離されたキューポイントテーブルに保存される。編集のためのオーディオトラックの適切性は、主に、オーディオトラックのリズム及びダイナミックスに依存する。基本的に、編集のための適切性は、非シームレスであると共に妨害する転移として認知される結果的なオーディオ再生において聴覚妨害を引き起こすことなく、オーディオトラックの再生途中に、第１の分離されたオーディオトラック１１４を第２の分離されたオーディオトラック１１４に取り替えることを可能にする。
図９は、分離されたオーディオトラック１１４ｃの終了として、分離されたオーディオトラック１１４ｃの任意のキューポイントＣＰで挿入されるのに適切な分離されたオーディオトラック１１４であるオーディオ終了トラック１１４ｄを示している。
図９に示されるように、オーディオ終了トラック１１４ｄが、分離されたオーディオトラック１１４ｃに終了として挿入される実際キューポイントＣＰ１は、分離されたオーディオトラック１１４ｃを終了するために、例えば、ユーザ決定命令の結果として指示ＵＣに基づいて決定される。このような終了指示に応答して、再生エンジン１２が終了指示の受信の後に次の適切なキューポイントＣＰ１を選択し、且つこのキューポイントＣＰ１でオーディオ終了トラック１１４ｄを挿入することによって、再生エンジン１２は、分離されたオーディオトラック１１４ｃを終了させるそれぞれの再生指示１１１を処理する。分離されたオーディオトラック１１４ｃが終了する時点がユーザ決定命令の結果として決定される他、実際オーディオ終了トラック１１４ｄがユーザ決定命令によって選択されてもよい。例えば、相互作用聴覚／視覚映画１００が静かな第１ストーリーラインに従うようにするユーザ決定命令をユーザが入力すると、第１ストーリーラインのオーディオ／ビデオセグメント１１２と関連付けられるオーディオ終了トラック１１４ｄは、アクションとサスペンス満載の代案の第２ストーリーのオーディオ／ビデオセグメント１１２と関連付けられる終了トラック１１４ｄよりも静かである。一実施形態において、分離されたオーディオトラック１１４の選択は、オーディオ／ビデオセグメントの選択のために図７を参照して上述したように、スクリプトＣを実行することによってなされる。
【００５８】
図２に示されるように、再生エンジン１２は、オーディオ部分、すなわち、オーディオ／ビデオセグメント１１２の同期化されたオーディオトラック及びオーディオ／ビデオセグメント１１２と同時に再生される一つ以上の分離されたオーディオトラック１１４を混合してマスタリングすることによってオーディオマスタートラックを発生させるように構成されるマスタリングモジュール１２１を備える。
例えば、優先順位は、オーディオ／ビデオセグメント１１２の同期化されたオーディオトラックに与えられる一方で、分離されたオーディオトラックのボリュームは減少し、結果的なオーディオストリームは、例えば、−０．１ｄＢに制限される。
【００５９】
図１０〜図１２は、例えば、ボタンＢをタッチ、タッピング又はクリックすることによってインターフェース要素１００’を介して入力されるユーザ決定命令に応答して、前の第１オーディオ／ビデオセグメントＡＶＳｅｇ１から次の第２オーディオ／ビデオセグメントＡＶＳｅｇ４へと転換されるタイミングを示す。
図１０に図示する例において、それぞれの再生指示１１１による指示に従って、再生エンジン１２は、シームレスであると共に中断されない方式で、前のオーディオ／ビデオセグメントＡＶＳｅｇ４の終了時にユーザ決定命令によって選択される次のオーディオ／ビデオセグメントＡＶＳｅｇ４の再生を開始する。
【００６０】
図１１に図示する例において、それぞれの再生指示１１１による指示に従って、再生エンジン１２は、例えば、ボタンＢのタッチ、タッピング又はクリック時にユーザ命令決定に直ちに応答して、ユーザ決定命令によって選択される次のオーディオ／ビデオセグメントＡＶＳｅｇ４を再生し始めることによって、前のオーディオ／ビデオセグメントＡＶＳｅｇ１を妨害する。
【００６１】
図１２に図示する例において、それぞれの再生指示１１１による指示に従って、再生エンジン１２は、例えば、ボタンＢのタッチ、タッピング又はクリック後に、ユーザ命令決定を受信する時点後の規定された時間コードＴＣで、ユーザ決定命令によって選択される次のオーディオ／ビデオセグメントＡＶＳｅｇ４を再生し始めることによって、規定された時間コードＴＣで、前のオーディオ／ビデオセグメントＡＶＳｅｇ１を妨害する。
【００６２】
図１０、図１１及び図１２に示す全ての例において、一つ以上の分離されたオーディオトラック１１４，１１４ａ，１１４ｂ，１１４ｃ，１１４ｄは、第１オーディオ／ビデオセグメントＡＶＳｅｇ１からユーザ選択された次の第２オーディオ／ビデオセグメントＡＶＳｅｇ４への転移又は境界にわたって中断なく再生されている。言い換えると、一つ以上の分離されたオーディオトラック１１４，１１４ａ，１１４ｂ，１１４ｃ，１１４ｄが中断なく再生される間に、第１オーディオ／ビデオセグメントＡＶＳｅｇ１からユーザ選択された次の第２オーディオ／ビデオセグメントＡＶＳｅｇ４への、ユーザによって選択され且つ時間設定された変化が起きる。上記の説明において、コンピュータプログラムコードは特定機能モジュールと関連付けられ、一連のステップは特定の順序で提供されるということに注目しなければならないが、当業者は、本発明の範囲から逸脱することなく、コンピュータプログラムコードの異なる構造化が可能であり、ステップの少なくとも一部の順序が変更されてもよいことを理解するであろう。
【図１】
2019165466.tif 000003
【図２】
2019165466.tif 000004
【図３】
2019165466.tif 000005
【図４】
2019165466.tif 000006
【図５】
2019165466.tif 000007
【図６】
2019165466.tif 000008
【図７】
2019165466.tif 000009
【図８】
2019165466.tif 000010
【図９】
2019165466.tif 000011
【図１０】
2019165466.tif 000012
【図１１】
2019165466.tif 000013
【図１２】
2019165466.tif 000014
【図１３】
2019165466.tif 000015
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
相互作用視聴覚映画（１００）を再生するコンピュータ化された装置（１）であって、
再生エンジン（１２）と、
媒体サーバーから電気通信ネットワークを介してローディングされる映画エピソードデータ客体（１１）とを備え、
該映画エピソードデータ客体（１１）は、複数のオーディオ／ビデオセグメント（１１２，ＡＶＳｅｇ１，ＡＶＳｅｇ３，ＡＶＳｅｇ４，ＡＶＳｅｇ７）と、前記再生エンジン（１２）が前記映画エピソードデータ客体（１１）から前記オーディオ／ビデオセグメント（１１２）を検索して再生し、該オーディオ／ビデオセグメント（１１２）を再生しながらユーザ決定命令から検索し、該ユーザ決定命令によって前記映画エピソードデータ客体（１１）から追加のオーディオ／ビデオセグメント（１１２）を検索して再生するように構成される再生指示１１１とを有し、
前記映画エピソードデータ客体（１１）は、前記オーディオ／ビデオセグメント（１１２、ＡＶＳｅｇ１，ＡＶＳｅｇ３，ＡＶＳｅｇ４，ＡＶＳｅｇ７）から分離されるとともにビデオコンテンツを有しない分離されたオーディオトラック（１１４，１１４ａ，１１４ｂ，１１４ｃ，１１４ｄ）と、前記再生エンジン（１２）が前記映画エピソードデータ客体（１１）から分離された前記オーディオトラック（１１４，１１４ａ，１１４ｂ，１１４ｃ，１１４ｄ）の一つを検索し、前記オーディオ／ビデオセグメント（ＡＶＳｅｇ３）の終了をユーザによって選択される時点まで実行し、ユーザによって選択され、前記オーディオ／ビデオセグメント（ＡＶＳｅｇ３）に続いて実行される前記オーディオ／ビデオセグメント（ＡＶＳｅｇ７）の開始を実行しながら、ユーザによって相互作用により及び動的に選択される時点における前記オーディオ／ビデオセグメント（１１２）の変化途中に分離された前記オーディオトラック（１１４ａ）を中断なく実行するように構成される追加の再生指示（１１１）とを有する装置（１）。
【請求項２】
分離された前記オーディオトラック（１１４ｃ）は、キューポイント（ＣＰ）を有し、
該キューポイント（ＣＰ）は、前記オーディオトラック（１１４ｃ）における位置を表示し、
分離された前記オーディオトラック（１１４ｃ）の再生途中に、分離された該オーディオトラック（１１４ｃ）は編集に適切であり、
前記映画エピソードデータ客体（１１）は、前記再生エンジン（１２）がキューポイント（ＣＰ１）において、分離された前記オーディオトラック（１１４ｃ）を実行することを停止し、前記キューポイント（ＣＰ１）において、異なる分離されたオーディオトラック（１１４ｄ）を実行することを開始するようにするように構成される再生指示（１１１）をさらに有する請求項１に記載の装置（１）。
【請求項３】
前記映画エピソードデータ客体（１１）は、前記再生エンジン（１２）が前記ユーザ決定命令によって前記オーディオトラック（１１４）を変化させるために前記キューポイント（ＣＰ）を選択するように構成される再生指示（１１１）をさらに有する請求項２に記載の装置（１）。
【請求項４】
前記映画エピソードデータ客体（１１）は、前記再生エンジン（１２）が前記ユーザ決定命令によって異なる前記オーディオトラック（１１４）を選択するように構成される再生指示（１１１）をさらに有する請求項２又は請求項３に記載の装置（１）。
【請求項５】
前記映画エピソードデータ客体（１１）は、実行される前記オーディオ／ビデオセグメント（ＡＶＳｅｇ７）の規定された時間コード（ＴＣ３）で分離された前記オーディオトラック（１１４ａ）を停止すること、前記オーディオトラック（１１４）のビートで前記オーディオトラック（１１４）を停止すること、前記オーディオトラック（１１４）を直ちに停止すること、実行される前記オーディオ／ビデオセグメント（ＡＶＳｅｇ７）の規定された時間コード（ＴＣ３）でフェードアウトを始めることによって前記オーディオトラック（１１４ａ）をフェードアウトすること、フェードアウトを直ちに始めることによって前記オーディオトラック（１１４）をフェードアウトすること、分離された前記オーディオトラック（１１４ｃ）を適切なオーディオトラック（１１４ｄ）に取り替えること、及び前記オーディオトラック（１１４）を異なる前記オーディオトラック（１１４）にクロスフェードすること、のうち一つを行うことによって、前記再生エンジン（１２）が、前記ユーザ決定命令によって、分離された前記オーディオトラック（１１４）を実行することを終了するように構成される再生指示（１１１）をさらに有する請求項１から請求項４のいずれかに記載の装置（１）。
【請求項６】
前記映画エピソードデータ客体（１１）は、前記再生エンジン（１２）が、前記ユーザ決定命令によって、実行される前記オーディオ／ビデオセグメント（ＡＶＳｅｇ１）の規定された時間コード（ＴＣ）で前記オーディオ／ビデオセグメント（ＡＶＳｅｇ１）を実行することを停止し、前記時間コード（ＴＣ）で、異なるオーディオ／ビデオセグメント（ＡＶＳｅｇ４）を再生することを始めるように構成される再生指示（１１１）をさらに有する請求項１から請求項５のいずれかに記載の装置（１）。
【請求項７】
前記再生エンジン（１２）は、前記オーディオ／ビデオセグメント（ＡＶＳｅｇ１，ＡＶＳｅｇ４，ＡＶＳｅｇ３，ＡＶＳｅｇ７）の同期化された前記オーディオトラック及び前記オーディオ／ビデオセグメント（ＡＶＳｅｇ１，ＡＶＳｅｇ４，ＡＶＳｅｇ３，ＡＶＳｅｇ７）と同時に実行される一つ以上の分離された前記オーディオトラック（１１４ａ，１１４ｂ）を混合してマスタリングすることによってオーディオマスタートラックを発生させるように構成される請求項１から請求項６のいずれかに記載の装置（１）。
【請求項８】
複数の通信端末（４１）から前記ユーザ決定命令を受信し、該ユーザ決定命令から人気のある前記ユーザ決定命令を決定し、人気のある該ユーザ決定命令によって前記オーディオ／ビデオセグメント（１１２）を検索して再生するステップ、前記オーディオトラック（１１４）を選択するステップ、前記オーディオトラック（１１４）を変化させるためにキューポイント（ＣＰ）を選択するステップ、前記オーディオトラック（１１４）を終了するステップ、再生される前記オーディオ／ビデオセグメント（ＡＶＳｅｇ１）の規定された時間コード（ＴＣ）で前記オーディオ／ビデオセグメント（ＡＶＳｅｇ１）を停止するステップ、及びその時間コード（ＴＣ）で、異なるオーディオ／ビデオセグメント（ＡＶＳｅｇ４）を始めるステップのうち少なくとも一つを行うように構成される相互作用サーバー４３をさらに備える請求項１から請求項７のいずれかに記載の装置（１）。
【請求項９】
相互作用視聴覚映画（１００）を再生する方法であって、
コンピュータ化された再生装置（１）のデータストアに複数のオーディオ／ビデオセグメント（１１２，ＡＶＳｅｇ１，ＡＶＳｅｇ３，ＡＶＳｅｇ４，ＡＶＳｅｇ７）、該オーディオ／ビデオセグメント（１１２、ＡＶＳｅｇ１，ＡＶＳｅｇ３，ＡＶＳｅｇ４，ＡＶＳｅｇ７）から分離されるとともにビデオコンテンツを有しない分離されたオーディオトラック（１１４，１１４ａ，１１４ｂ，１１４ｃ，１１４ｄ）、及び再生指示（１１１）を有する映画エピソードデータ客体（１１）を媒体サーバーから電気通信ネットワークを介してローディングして格納するステップ（Ｓ１）と、
前記再生装置（１）によって前記映画エピソードデータ客体（１１）から前記再生指示（１１１）を検索するステップ（Ｓ２）とを含み、
前記再生指示（１１１）によって、前記再生装置（１）は、前記映画エピソードデータ客体（１１）から前記オーディオ／ビデオセグメント（１１２）を検索（Ｓ３１）及び再生（Ｓ３２）するステップと、
前記オーディオ／ビデオセグメント（１１２）を再生しながらユーザ決定命令から受信（Ｓ３６）するためにインターフェース要素を発生（Ｓ３５）させるステップと、
前記ユーザ決定命令によって前記映画エピソードデータ客体（１１）から追加の前記オーディオ／ビデオセグメント（１１２）を検索（Ｓ３１）及び再生（Ｓ３２）するステップと、
前記映画エピソードデータ客体（１１）から分離された前記オーディオトラック（１１４）の一つを検索（Ｓ３３）するステップと、
前記オーディオ／ビデオセグメント（ＡＶＳｅｇ３）の終了をユーザによって選択される時点まで再生し、前記ユーザによって選択され、前記オーディオ／ビデオセグメント（ＡＶＳｅｇ３）に続いて再生される前記オーディオ／ビデオセグメント（ＡＶＳｅｇ７）の開始を再生しながら、前記ユーザによって相互作用により及び動的に選択される時点におけるオーディオ／ビデオセグメント（１１２）の変化途中に前記分離されたオーディオトラック（１１４ａ）を中断なく再生（Ｓ３４）するステップとを実行する方法。
【請求項１０】
前記映画エピソードデータ客体（１１）は、キューポイント（ＣＰ）を有する分離された前記オーディオトラック（１１４）を有する前記データストアに格納され、
前記キューポイント（ＣＰ）は、オーディオトラック（１１４ｃ）における位置を表示し、該オーディオトラック（１１４ｃ）の再生途中に、該オーディオトラック（１１４ｃ）は編集に適切であり、
再生装置（１）が、前記再生指示（１１１）によって、キューポイント（ＣＰ１）において、分離された前記オーディオトラック（１１４ｃ）を再生することを停止するステップと、
前記キューポイント（ＣＰ１）において、異なる分離されたオーディオトラック（１１４ｄ）を再生することを始めるステップとをさらに含む請求項９に記載の方法。
【請求項１１】
前記再生装置（１）が前記ユーザ決定命令によって前記オーディオトラック（１１４）を変化させるために前記キューポイント（ＣＰ）を前記再生指示（１１１）によって選択するステップをさらに含む請求項１０に記載の方法。
【請求項１２】
前記再生装置（１）が前記ユーザ決定命令によって異なる前記オーディオトラック（１１４）を前記再生指示（１１１）によって選択するステップをさらに含む請求項１０又は請求項１１に記載の方法。
【請求項１３】
再生される前記オーディオ／ビデオセグメントの規定された時間コード（ＴＣ３）で前記オーディオトラック（１１４ａ）を停止するステップ、前記オーディオトラック（１１４）のビートで前記オーディオトラック（１１４）を停止するステップ、前記オーディオトラックを直ちに停止するステップ、再生される前記オーディオ／ビデオセグメントの規定された前記時間コード（ＴＣ３）でフェードアウトを始めることによって前記オーディオトラック（１１４ａ）をフェードアウトするステップ、フェードアウトを直ちに始めることによって前記オーディオトラック（１１４）をフェードアウトするステップ、前記オーディオトラック（１１４ｃ）を適切なオーディオトラック（１１４ｄ）に取り替えるステップ、及び前記オーディオトラック（１１４）を異なる前記オーディオトラック（１１４）にクロスフェードするステップ、のうち一つを行うことによって、前記再生装置（１）が前記再生指示（１１１）及び前記ユーザ決定命令によって、分離された前記オーディオトラック（１１４）を再生することを終了するステップをさらに含む請求項９から請求項１２のいずれかに記載の方法。
【請求項１４】
前記再生装置（１）が前記再生指示（１１１）及び前記ユーザ決定命令によって、再生されるオーディオ／ビデオセグメント（ＡＶＳｅｇ１）の規定された時間コード（ＴＣ）で前記オーディオ／ビデオセグメント（ＡＶＳｅｇ１）を再生することを停止するステップと、前記時間コード（ＴＣ）で、異なるオーディオ／ビデオセグメント（ＡＶＳｅｇ４）を再生することを始めるステップとをさらに含む請求項９から請求項１３のいずれかに記載の方法。
【請求項１５】
前記再生装置（１）がオーディオ／ビデオセグメント（ＡＶＳｅｇ１，ＡＶＳｅｇ４，ＡＶＳｅｇ３，ＡＶＳｅｇ７）の同期化された前記オーディオトラック及び該オーディオ／ビデオセグメント（ＡＶＳｅｇ１，ＡＶＳｅｇ４，ＡＶＳｅｇ３，ＡＶＳｅｇ７）と同時に再生される一つ以上の分離された前記オーディオトラック（１１４ａ，１１４ｂ）を混合してマスタリングすることによってオーディオマスタートラックを発生させるステップをさらに含む請求項９から請求項１４のいずれかに記載の方法。
【請求項１６】
複数の通信端末（４１）からユーザ決定命令を前記コンピュータ化された再生装置（１）で受信するステップをさらに含み、
前記コンピュータ化された再生装置（１）が前記ユーザ決定命令から人気のあるユーザ決定命令を決定し、
前記再生装置（１）が、前記人気のあるユーザ決定命令によってオーディオ／ビデオセグメント（１１２）を検索して再生するステップ、オーディオトラック（１１４）を選択するステップ、前記オーディオトラック（１１４）を変化させるためにキューポイント（ＣＰ）を選択するステップ、前記オーディオトラック（１１４）を終了するステップ、再生される前記オーディオ／ビデオセグメント（ＡＶＳｅｇ１）の規定された時間コード（ＴＣ）で前記オーディオ／ビデオセグメント（ＡＶＳｅｇ１）を停止するステップ、及び前記時間コード（ＴＣ）で、異なるオーディオ／ビデオセグメント（ＡＶＳｅｇ４）を始めるステップのうち少なくとも一つを実行する請求項９から請求項１５のいずれかに記載の方法。
【請求項１７】
複数のオーディオ／ビデオセグメント（１１２、ＡＶＳｅｇ１，ＡＶＳｅｇ３，ＡＶＳｅｇ４，ＡＶＳｅｇ７）と、該オーディオ／ビデオセグメント（１１２）から分離されるとともにビデオコンテンツを有しないオーディオトラック（１１４，１１４ａ，１１４ｂ，１１４ｃ，１１４ｄ）と、再生指示（１１１）とを有する映画エピソードデータ客体（１１）を媒体サーバーから電気通信ネットワークを介してローディングして格納した非一時的コンピュータ読み取り可能な媒体を備えるコンピュータプログラムであって、
前記再生指示（１１１）は、前記映画エピソードデータ客体（１１）から前記オーディオ／ビデオセグメント（１１２）を検索（Ｓ３１）及び再生（Ｓ３２）するステップと、
前記オーディオ／ビデオセグメント（１１２）を再生しながらユーザ決定命令から受信（Ｓ３６）するためにインターフェース要素を発生（Ｓ３５）させるステップと、
前記ユーザ決定命令によって前記映画エピソードデータ客体（１１）から追加の前記オーディオ／ビデオセグメント（１１２）を検索（Ｓ３１）及び再生（Ｓ３２）するステップと、
前記映画エピソードデータ客体（１１）から分離された前記オーディオトラック（１１４）の一つを検索（Ｓ３３）するステップと、
前記オーディオ／ビデオセグメント（ＡＶＳｅｇ３）の終了をユーザによって選択される時点まで再生し、前記ユーザによって選択され、前記オーディオ／ビデオセグメント（ＡＶＳｅｇ３）に続いて再生される前記オーディオ／ビデオセグメント（ＡＶＳｅｇ７）の開始を再生しながら、前記ユーザによって相互作用により及び動的に選択される時点で、前記オーディオ／ビデオセグメント（１１２）の変化途中に分離された前記オーディオトラック（１１４ａ）を中断なく再生（Ｓ３４）するステップとを実行するために再生装置（１）のプロセッサ１４を制御するように構成されるコンピュータプログラム。
【手続補正３】
【補正対象書類名】明細書
【補正対象項目名】００１６
【補正方法】変更
【補正の内容】
【００１６】
本発明の一態様によれば、上述した目的は、特に、相互作用視聴覚映画を再生するコンピュータ化された装置が、再生エンジンと、媒体サーバーから電気通信ネットワークを介してローディングされる映画エピソードデータ客体とを備えるという点で達成される。映画エピソードデータ客体は、複数のオーディオ／ビデオセグメント及び再生指示を有する。再生指示は、再生エンジンが映画エピソードデータ客体からオーディオ／ビデオセグメントを検索して再生し、オーディオ／ビデオセグメントを再生しながらユーザ決定命令から受信し、ユーザ決定命令に応じて映画エピソードデータ客体から追加のオーディオ／ビデオセグメントを検索して再生するように構成される。映画エピソードデータ客体は、オーディオ／ビデオセグメントから分離されるとともにビデオコンテンツを有しない分離されたオーディオトラックと、再生エンジンが、映画エピソードデータ客体から分離されたオーディオトラックの一つを検索し、第１オーディオ／ビデオセグメントの終了を、ユーザによって選択される時点まで再生し、ユーザによって選択されて第１オーディオ／ビデオセグメントに続いて再生される第２オーディオ／ビデオセグメントの開始を再生しながら、ユーザによって相互作用により及び動的に選択される時点におけるオーディオ／ビデオセグメントの変化途中にオーディオトラックを中断なく再生するように構成される追加の再生指示をさらに有する。分離されたオーディオトラックの提供は、視聴覚映画の再生途中にユーザによって相互作用により及び動的に選択される可変時点におけるオーディオ／ビデオセグメントの変化途中にも、ユーザがメディアコンテンツの中断されていない連続的なストリームを再生することを可能にする。したがって、ユーザ決定命令に応答して、第１オーディオ／ビデオセグメントの終了前の時点で、第１オーディオ／ビデオセグメントからユーザ選択された第２オーディオ／ビデオセグメントに変化されることを可能にすることによって、第１オーディオ／ビデオセグメントからユーザ選択された第２オーディオ／ビデオセグメントへの転移途中に、分離されたオーディオトラックの中断されていない再生を続けながら、第１オーディオ／ビデオセグメントの再生を中断し、以降の第２オーディオ／ビデオセグメントの再生を開始する。これは、ユーザ決定命令によって妨害される第１オーディオ／ビデオセグメントからユーザ決定命令によって選択される以降の第２オーディオ／ビデオセグメントへの転換途中に、ユーザに、中断されていない連続的なオーディオストリームを提供する。従来技術のシステムと違い、あらかじめ規定された連続的な無音ビデオセグメントの提供途中に連続的なオーディオトラックが再生される場合又は全体の前のオーディオ／ビデオセグメントの再生を完了した後にユーザ選択されたオーディオ／ビデオセグメントが再生される場合に、その開始からその終了まで、上記の記載された再生エンジン及び映画エピソードデータ客体は、再生が第１オーディオ／ビデオセグメントから第２オーディオ／ビデオセグメントに変化する時の時点をユーザが動的に及び相互作用によって決定するだけでなく、第１オーディオ／ビデオセグメントがその終了まで再生される前に、及び分離されたオーディオトラックが中断なく再生される間に、ユーザ選択された時点で、そのような第２オーディオ／ビデオセグメントを選択し、第１オーディオ／ビデオセグメントからユーザ選択された第２オーディオ／ビデオセグメントへの変化を行うことを可能にする。
【手続補正４】
【補正対象書類名】明細書
【補正対象項目名】００２０
【補正方法】変更
【補正の内容】
【００２０】
また、上記態様においては、映画エピソードデータ客体は、再生される第２オーディオ／ビデオセグメントの規定された時間コードで分離されたオーディオトラックを停止し、オーディオトラックのビートでオーディオトラックを停止し、オーディオトラックを直ちに停止し、再生されるオーディオ／ビデオセグメントの規定された時間コードでフェードアウトを開始することによってオーディオトラックをフェードアウトし、フェードアウトを直ちに開始することによってオーディオトラックをフェードアウトし、分離されたオーディオトラックを適切なオーディオトラックに取り替え、及び／又はオーディオトラックを異なるオーディオトラックにクロスフェードすることによって、再生エンジンが、ユーザ決定命令によって、分離されたオーディオトラックを再生することを終了するように構成される再生指示をさらに有していてもよい。このようにすることで、例えば、視聴覚映画の再生途中にユーザから受信されるユーザ決定命令に応答及び対応して、視聴覚映画の再生途中にオーディオトラックの終了を動的に変更して適応させることが可能である。
【手続補正５】
【補正対象書類名】明細書
【補正対象項目名】００２３
【補正方法】変更
【補正の内容】
【００２３】
上記態様においては、コンピュータ化された装置は、複数の通信端末からユーザ決定命令を受信し、ユーザ決定命令から人気のあるユーザ決定命令を決定するように構成される相互作用サーバーをさらに備えていてもよい。再生エンジンは、人気のあるユーザ決定命令によって、オーディオ／ビデオセグメントを検索して再生するステップ、オーディオトラックを選択するステップ、オーディオトラックを変更するためにキューポイントを選択するステップ、オーディオトラックを終了するステップ、再生されるオーディオ／ビデオセグメントの規定された時間コードで、オーディオ／ビデオセグメントを停止するステップ、及び／又はその時間コードで、異なるオーディオ／ビデオセグメントを始めるステップを行うように構成される。
相互作用視聴覚映画を再生するコンピュータ化された装置の他に、本発明は、相互作用視聴覚映画を再生する方法にも関する。方法は、コンピュータ化された再生装置のデータストアに複数のオーディオ／ビデオセグメント、オーディオ／ビデオセグメントから分離されるとともにビデオコンテンツを有しない分離されたオーディオトラック、及び再生指示を有する映画エピソードデータ客体を媒体サーバーから電気通信ネットワークを介してローディングして格納するステップを含む。
上記方法は、再生装置が映画エピソードデータ客体から再生指示を検索するステップと、再生指示によって、再生装置が、エピソードデータ客体からオーディオ／ビデオセグメントを検索して再生するステップと、オーディオ／ビデオセグメントを再生しながらユーザ決定命令から受信するためにインターフェース要素を発生させるステップと、ユーザ決定命令によって映画エピソードデータ客体から追加オーディオビデオセグメントを検索して再生するステップと、映画エピソードデータ客体から、分離されたオーディオトラックの一つを検索するステップと、第１オーディオ／ビデオセグメントの終了をユーザによって選択される時点まで再生し、ユーザによって選択され、第１オーディオ／ビデオセグメントに続いて再生される第２オーディオ／ビデオセグメントの開始を再生しながら、ユーザによって相互作用により及び動的に選択される時点に発生するオーディオ／ビデオセグメントの変化途中に、分離されたオーディオトラックを中断なく再生するステップとをさらに含んでいてもよい。
【手続補正６】
【補正対象書類名】明細書
【補正対象項目名】００２６
【補正方法】変更
【補正の内容】
【００２６】
上記態様においては、方法は、再生されるオーディオ／ビデオセグメントの規定された時間コードでオーディオトラックを停止し、オーディオトラックのビートでオーディオトラックを停止し、オーディオトラックを直ちに停止し、再生されるオーディオ／ビデオセグメントの規定された時間コードでフェードアウトを開始することによってオーディオトラックをフェードアウトし、フェードアウトを直ちに開始することによってオーディオトラックをフェードアウトし、オーディオトラックを適切なオーディオトラックに取り替え、及び／又はオーディオトラックを異なるオーディオトラックにクロスフェーディングすることによって、再生装置が再生指示及びユーザ決定命令によって、分離されたオーディオトラックを再生することを終了するステップをさらに含んでいてもよい。
【手続補正７】
【補正対象書類名】明細書
【補正対象項目名】００２９
【補正方法】変更
【補正の内容】
【００２９】
相互作用視聴覚映画を再生するコンピュータ化された装置及び方法の他に、本発明は、複数のオーディオ／ビデオセグメントと、オーディオ／ビデオセグメントから分離されるとともにビデオコンテンツを有しないオーディオトラックと、再生指示を有する映画エピソードデータ客体を媒体サーバーから電気通信ネットワークを介してローディングして格納した非一時的コンピュータ読み取り可能な媒体を備えるコンピュータプログラムにも関する。再生指示は、映画エピソードデータ客体からオーディオ／ビデオセグメントを検索して再生し、オーディオ／ビデオセグメントを再生しながらユーザ決定命令から受信するためにインターフェース要素を発生させ、ユーザ決定命令によって映画エピソードデータ客体から追加のオーディオ／ビデオセグメントを検索して再生し、映画エピソードデータ客体から、分離されたオーディオトラックの一つを検索し、第１オーディオ／ビデオセグメントの終了を、ユーザによって選択される時点まで再生し、ユーザによって選択され、第１オーディオ／ビデオセグメントに続いて再生される第２オーディオ／ビデオセグメントの開始を再生しながら、ユーザによって相互作用により及び動的に選択される時点に発生するオーディオ／ビデオセグメントの変化途中に、分離されたオーディオトラックを中断なく再生するために再生装置のプロセッサを制御するように構成される。